(57)【要約】      （修正有）【課題】商品を陳列する場合だけでなく商品を購入した消費者に渡す場合も包装箱として使用することができる商品陳列包装箱を提供する。【解決手段】商品陳列包装箱１０は、財布等の商品１を吊り下げて陳列する場合に使用する商品陳列箱１０Ａと商品１を包装する場合に使用する商品包装箱１０Ｂとして利用することができる。前記商品陳列包装箱１０は商品１を収容する商品陳列包装箱本体１２と、商品陳列包装箱１０を商品陳列箱１０Ａとして使用する場合に前記商品陳列包装箱本体１２を吊り下げるフック１４とから構成されている。【選択図】図１
0003138559.tif 000002
【実用新案登録請求の範囲】
【請求項１】
商品を陳列する場合の商品陳列箱及び商品を包装する場合の商品包装箱をそれぞれ形成することができる商品陳列包装箱本体と、この商品陳列包装箱本体を吊り下げることができると共に商品陳列包装箱本体に着脱可能なフックと、から構成される商品陳列包装箱であって、前記商品陳列包装箱本体の背面板の一側に連設された第１側面板と、この第１側面板の一側に連設された第１正面板と、この第１正面板の一側に連設された第２側面板と、前記背面板の一端に連設された立上片兼用上蓋と、この立上片兼用上蓋の一端に連設された第２正面板と、この第２正面板の一端部に連設された差込片と、前記正面板の他端に連設された底蓋と、前記第１正面板と前記底蓋の間に形成された横スリットと、を有してなることを特徴とする商品陳列包装箱。
【請求項２】
商品を陳列する場合の商品陳列箱及び商品を包装する場合の商品包装箱をそれぞれ形成することができる商品陳列包装箱本体と、この商品陳列包装箱本体を吊り下げることができると共に商品陳列包装箱本体に着脱可能なフックと、から構成される商品陳列包装箱であって、前記商品陳列包装箱本体の背面板の一側に連設された第１側面板と、この第１側面板の一側に連設された第１正面板と、この第１正面板の一側に連設された第２側面板と、前記背面板の一端に連設された立上片兼用上蓋と、この立上片兼用上蓋の一端に連設された第２正面板と、前記立上片兼用上蓋及び第２正面板にそれぞれ貫通形成されると共に前記フックを取り付けることができるフック取付孔と、前記第２正面板の一端部に連設された差込片と、前記正面板の他端に連設された底蓋と、前記第１正面板と前記底蓋の間に形成された横スリットと、を有してなることを特徴とする商品陳列包装箱。
【請求項３】
商品を陳列する場合の商品陳列箱及び商品を包装する場合の商品包装箱をそれぞれ形成することができる商品陳列包装箱本体と、この商品陳列包装箱本体を吊り下げることができると共に商品陳列包装箱本体に着脱可能なフックと、から構成される商品陳列包装箱であって、前記商品陳列包装箱本体の背面板の一側に縦折線を介して連設された第１側面板と、この第１側面板の一側に縦折線を介して連設された第１正面板と、この第１正面板の一側に縦折線を介して連設された第２側面板と、前記背面板の一端に横折線を介して連設された立上片兼用上蓋と、この立上片兼用上蓋の一端に横折線を介して連設された第２正面板と、前記立上片兼用上蓋及び第２正面板にそれぞれ貫通形成されると共に前記フックを取り付けることができるフック取付孔と、前記第２正面板の一端に横折線を介して連設された差込片と、前記正面板の他端に横折線を介して連設された底蓋と、前記第１正面板と前記底蓋の間に形成された横スリットと、前記底蓋の他端に横折線を介して連設された底蓋差込片と、を有してなることを特徴とする商品陳列包装箱。
【考案の詳細な説明】
【技術分野】
【０００１】
本考案は、商品を陳列する場合と商品を包装する場合の両方に使用することができる商品陳列包装箱に関する。
【背景技術】
【０００２】
販売店等においては財布や小銭入れ等の商品を商品陳列箱に収容した状態で吊り下げて陳列販売する場合がある。
しかし、消費者が前記商品陳列箱に収容されている商品を購入する場合は、消費者が商品を前記商品陳列箱から取り出してレジカウンターに持っていき、レジカウンターで店員が前記商品を店が用意した包装箱等で包装して消費者に渡している。
このため、商品が売れると前記商品を収容していた前記商品陳列箱は不要になり廃棄処分とされていた。
また、店側は前記商品を包装箱に収容して消費者に渡すために別途に包装箱等を用意しなければならない。
【考案の開示】
【考案が解決しようとする課題】
【０００３】
本考案は、上記事実に鑑みなされたものであり商品を陳列する場合だけでなく商品を購入した消費者に渡す場合も包装箱として使用することができる商品陳列包装箱を提供するものである。
【課題を解決するための手段】
【０００４】
請求項１の考案は、商品を陳列する場合の商品陳列箱及び商品を包装する場合の商品包装箱をそれぞれ形成することができる商品陳列包装箱本体と、この商品陳列包装箱本体を吊り下げることができると共に商品陳列包装箱本体に着脱可能なフックと、から構成される商品陳列包装箱であって、前記商品陳列包装箱本体の背面板の一側に連設された第１側面板と、この第１側面板の一側に連設された第１正面板と、この第１正面板の一側に連設された第２側面板と、前記背面板の一端に連設された立上片兼用上蓋と、この立上片兼用上蓋の一端に連設された第２正面板と、この第２正面板の一端部に連設された差込片と、前記正面板の他端に連設された底蓋と、前記第１正面板と前記底蓋の間に形成された横スリットと、を有してなることを特徴としている。
請求項２の考案は、商品を陳列する場合の商品陳列箱及び商品を包装する場合の商品包装箱をそれぞれ形成することができる商品陳列包装箱本体と、この商品陳列包装箱本体を吊り下げることができると共に商品陳列包装箱本体に着脱可能なフックと、から構成される商品陳列包装箱であって、前記商品陳列包装箱本体の背面板の一側に連設された第１側面板と、この第１側面板の一側に連設された第１正面板と、この第１正面板の一側に連設された第２側面板と、前記背面板の一端に連設された立上片兼用上蓋と、この立上片兼用上蓋の一端に連設された第２正面板と、前記立上片兼用上蓋及び第２正面板にそれぞれ貫通形成されると共に前記フックを取り付けることができるフック取付孔と、前記第２正面板の一端部に連設された差込片と、前記正面板の他端に連設された底蓋と、前記第１正面板と前記底蓋の間に形成された横スリットと、を有してなることを特徴としている。
請求項３の考案は、商品を陳列する場合の商品陳列箱及び商品を包装する場合の商品包装箱をそれぞれ形成することができる商品陳列包装箱本体と、この商品陳列包装箱本体を吊り下げることができると共に商品陳列包装箱本体に着脱可能なフックと、から構成される商品陳列包装箱であって、前記商品陳列包装箱本体の背面板の一側に縦折線を介して連設された第１側面板と、この第１側面板の一側に縦折線を介して連設された第１正面板と、この第１正面板の一側に縦折線を介して連設された第２側面板と、前記背面板の一端に横折線を介して連設された立上片兼用上蓋と、この立上片兼用上蓋の一端に横折線を介して連設された第２正面板と、前記立上片兼用上蓋及び第２正面板にそれぞれ貫通形成されると共に前記フックを取り付けることができるフック取付孔と、前記第２正面板の一端に横折線を介して連設された差込片と、前記正面板の他端に横折線を介して連設された底蓋と、前記第１正面板と前記底蓋の間に形成された横スリットと、前記底蓋の他端に横折線を介して連設された底蓋差込片と、を有してなることを特徴としている。
【考案の効果】
【０００５】
本考案の商品陳列包装箱は、商品を陳列する場合だけでなく商品を包装する場合にも使用することができるので、商品陳列箱と商品包装箱の両方を用意する必要がないので無駄を少なくすることができるという優れた効果を有する。
本考案の商品陳列包装箱は、商品を陳列する場合だけでなく商品を包装する場合にも使用することができるので、商品陳列箱と商品包装箱の両方を用意する必要がないので資源の無駄を少なくすることができるという優れた効果を有する。
【考案を実施するための最良の形態】
【０００６】
考案を実施するために最良の形態の例として以下のような実施例を示す。
【実施例１】
【０００７】
図１〜図６には本考案に係る商品陳列包装箱の一実施例が示されている。本考案の商品陳列包装箱１０は、財布等の商品１（図３において想像線で示す）を吊り下げて陳列する場合に使用する商品陳列箱１０Ａ（図１参照）と前記商品１を包装する場合に使用する商品包装箱１０Ｂ（図５参照）として利用することができる。
図１及び図２に示されるように、前記商品陳列包装箱１０は商品１を収容する商品陳列包装箱本体１２と、商品陳列包装箱１０を商品陳列箱１０Ａとして使用する場合に前記商品陳列包装箱本体１２を吊り下げるフック１４とから構成されている。なお、このフック１４には鉤部１４Ａと挿入突起部１４Ｂとバンド部１４Ｃが形成されている。
図６には前記商品陳列包装箱本体１２の内側面を図面手前側にした状態の展開図が示されている。
前記商品陳列包装箱本体１２の背面板１６の一側には第１縦折線１８を介して第１側面板２０が連設されている。この第１側面板２０の一側には第２縦折線２２を介して第１正面板２４が連設されている。この第１正面板２４は商品陳列包装箱１０を商品陳列箱１０Ａとして使用する場合に正面に位置するものである(図１参照)。前記第１正面板２４には切欠部２６が形成されている。この切欠部２６を形成することにより商品陳列箱１０Ａに収容した商品１が見易くなっている。前記第１正面板２４の一側には第３縦折線２８を介して第２側面板３０が連設されている。
前記背面板１６の他側には第４縦折線３２を介して糊代片３４が連設されている。この糊代片３４には図示しない接着剤が塗付されている。
前記背面板１６の一端には第１横折線３６を介して立上片兼用上蓋４０が連設されている。この立上片兼用上蓋４０は、前記商品陳列包装箱１０を商品陳列箱１０Ａとして使用する場合は立上片としての役目を果し（図１参照）、商品包装箱１０Ｂとして使用する場合は上蓋としての役目を果すようになっている（図５参照）。
前記立上片兼用上蓋４０の一端には第２横折線４２を介して第２正面板４４が連設されている。この第２正面板４４は商品陳列包装箱１０を商品包装箱１０Ｂとして使用する場合に正面に位置するものである（図５参照）。
前記立上片兼用上蓋４０及び第２正面板４４にはそれぞれフック取付孔４６，４６が貫通形成されている。これらフック取付孔４６，４６は第２横折線４２を折って前記立上片兼用上蓋４０と第２正面板４４を重ねると互いに対応するようになっている（図２参照）。これにより、前記フック１４の挿入突起部１４Ｂをフック取付孔４６，４６に挿入できるようになっている。
前記第２正面板４４の一端部には第３横折線４８を介して差込片５０が連設されている。この差込片５０の両端には前記第２正面板４４に向かって縦スリット５２，５２が形成されている。また、縦スリット５２と縦スリット５２の間には第４横折線５３が形成されている。
前記正面板２４の他端には第５横折線５４を介して底蓋５６が連設されている。なお、前記第５横折線５４の中間部には第５横折線５４に重なって横スリット５７が形成されている。なお、この横スリット５７は前記商品陳列包装箱１０を商品包装箱１０Ｂとして使用する場合に前記差込片５０が差し込まれるようになっている（図５参照）。また、この底蓋５６の他端には第６横折線５８を介して底蓋差込片６０が連設されている。
また、前記第１側面板２０の他端には第７横折線６２を介して第１底中蓋６４が連設され、前記第２側面板３０の他端には第８横折線６６を介して第２底中蓋６８が連設されている。
【０００８】
実施例の商品陳列包装箱１０の組立と作用について説明する。
前記商品陳列箱１０Ａを組み立てする場合は、図６に示された状態の商品陳列包装箱本体１２に形成された第１縦折線１８、第２縦折線２２、第３縦折線２８を順番に折って第１側面板３０と糊代片３４を接着する。
次に、第７横折線６２を折って第１底中蓋６４を折り曲げ、第８横折線６６を折って第２底中蓋６８を折り曲げて、第５横折線５４を折って底蓋５６を折り曲げると共に第６横折線５８を折って底蓋差込片６０を差し込む。
そして、第２横折線４２を折って第２正面板４４を差し込むことにより、図２に示されるような商品陳列箱１０Ａが完成する。
最後に、前記商品陳列箱１０Ａのフック取付孔４６，４６にフック１４の挿入突起部１４Ｂを挿入してバンド部１４Ｃで止める（図１参照）。
従って、図３に示されるように前記フック１４を陳列体２のフック係止体３に引っ掛けて商品陳列箱１０Ａを吊り下げることにより商品１を露出させた状態で陳列することができる。
消費者が前記商品陳列箱１０Ａに収容された商品１を購入する場合は、前記商品陳列箱１０Ａに取り付けられているフック１４を取り外し、差し込まれている第２正面板４４を図４に示されるように引き抜く。
そして、商品１を背面板１６と第１正面板２４の間に収容し、前記第１横折線３６と第２横折線４２で折り曲げて第２正面板４４を第１正面板２４の上に重ねて差込片５０を横スリット５７に差し込むことにより図５に示すような商品包装箱１０Ｂが完成する。
【０００９】
従って、前記商品陳列包装箱１０は商品１を陳列する場合は商品陳列箱１０Ａとして使用することができ、商品を包装する場合は商品包装箱１０Ｂとして使用することができる。
このため、店側は従来のように商品陳列箱と商品包装箱をそれぞれ別途に要する必要がないので経済的である。
また、商品が売れても商品陳列箱を廃棄する必要がないので資源の無駄を少なくすることができると共に環境にも配慮することができるという利点を有する。
【００１０】
なお、実施例では商品１として財布を示したが、商品陳列包装箱１０が使用される商品１は前記財布に限定されるものでないことは勿論である。
【図面の簡単な説明】
【００１１】
【図１】実施例の商品陳列包装箱を商品陳列箱として使用する場合の斜視図である。
【図２】実施例の商品陳列包装箱を商品陳列箱として使用する場合の分解斜視図である。
【図３】実施例の商品陳列包装箱を商品陳列箱として使用する場合の使用状態図である。
【図４】実施例の商品陳列包装箱を商品陳列箱として使用する場合から商品包装箱に使用する場合の途中の斜視図である。
【図５】実施例の商品陳列包装箱を商品包装箱として使用する場合の斜視図である。
【図６】実施例の商品陳列包装箱の商品陳列包装箱本体の展開図である。
【符号の説明】
【００１２】
１０    商品陳列包装箱
１０Ａ  商品陳列箱
１０Ｂ  商品包装箱
１２    商品陳列包装箱本体
１４    フック
１６    背面板
１８    第１縦折線
２０    第１側面板
２２    第２縦折線
２４    第１正面板
２８    第３縦折線
３０    第２側面板
３２    第４縦折線
３４    糊代片
３６    第１横折線
４０    立上片兼用上蓋
４２    第２横折線
４４    第２正面板
４６    フック取付孔
４８    第３横折線
５０    差込片
５４    第５横折線
５６    底蓋
５７    横スリット
５８    第６横折線
６０    底蓋差込片
６２    第７横折線
【図１】
0003138559.tif 000003
【図２】
0003138559.tif 000004
【図３】
0003138559.tif 000005
【図４】
0003138559.tif 000006
【図５】
0003138559.tif 000007
【図６】
0003138559.tif 000008